(57)【特許請求の範囲】
【請求項１】
無線通信を行う通信装置であって、
標準画面を少なくとも表示する表示手段と、
データ表示領域を前記標準画面に並べて配置可能で、複数のキーの操作により選択されたアプリケーションの実行対象となる実行対象データに関連する情報を前記データ表示領域に表示するように、前記表示手段を制御する制御手段と、を有し、
前記制御手段は、
前記表示手段に表示させる前記実行対象データに関連する情報として、前記実行対象データに関連付けられた記号を表示させ且つ当該実行対象データに含まれるデータを表示させない第１の表示モード、および、当該実行対象データに関連付けられた記号および当該実行対象データに含まれるデータを表示させる第２の表示モードのいずれかを前記複数のキーの操作に基づいて選択可能とし、
前記第２の表示モードが選択された場合、前記実行対象データに複数のデータが含まれているときは、前記複数のデータの中から所定の優先順位に従った一のデータの少なくとも一部を表示させ、
前記第１の表示モードにおける前記データ表示領域を、前記第２の表示モードにおける前記データ表示領域に比べて小さく表示させる、通信装置。
【請求項２】
前記制御手段は、前記キーの操作に応じて、前記表示手段に表示させるデータ表示領域の表示／非表示を切り替える、請求項１に記載の通信装置。
【請求項３】
標準画面を少なくとも表示する表示手段を有し、無線通信を行う通信装置の表示制御方法であって、
前記標準画面にデータ表示領域を並べて配置可能で、複数のキーの操作により選択されたアプリケーションの実行対象となる実行対象データに関連する情報を前記データ表示領域内に表示させ、
前記表示手段に表示させる前記実行対象データに関連する情報として、前記実行対象データに関連付けられた記号を表示させ且つ当該実行対象データに含まれるデータを表示させない第１の表示モード、および、当該実行対象データに関連付けられた記号および当該実行対象データに含まれるデータを表示させる第２の表示モードのいずれかを前記複数のキーの操作に基づいて選択可能とし、
前記第２の表示モードが選択された場合、前記実行対象データに複数のデータが含まれているときは、前記複数のデータの中から所定の優先順位に従った一のデータの少なくとも一部を表示させ、
前記第１の表示モードにおける前記データ表示領域を、前記第２の表示モードにおける前記データ表示領域に比べて小さく表示させるように前記表示手段を制御する、通信装置の表示制御方法。
【請求項４】
標準画面を少なくとも表示する表示手段を有し、無線通信を行う通信装置の表示制御プログラムであって、
前記標準画面にデータ表示領域を並べて配置可能で、複数のキーの操作により選択されたアプリケーションの実行対象となる実行対象データに関連する情報を前記データ表示領域内に表示させ、
前記表示手段に表示させる前記実行対象データに関連する情報として、前記実行対象データに関連付けられた記号を表示させ且つ当該実行対象データに含まれるデータを表示させない第１の表示モード、および、当該実行対象データに関連付けられた記号および当該実行対象データに含まれるデータを表示させる第２の表示モードのいずれかを前記複数のキーの操作に基づいて選択可能とし、
前記第２の表示モードが選択された場合、前記実行対象データに複数のデータが含まれているときは、前記複数のデータの中から所定の優先順位に従った一のデータの少なくとも一部を表示させ、
前記第１の表示モードにおける前記データ表示領域を、前記第２の表示モードにおける前記データ表示領域に比べて小さく表示させるように前記表示手段を制御する、通信装置の表示制御プログラム。
【発明の詳細な説明】
【技術分野】
【０００１】
本発明は、たとえば携帯電話機のように、標準画面にユーザがお気に入りの画像を指定可能な無線通信装置に関するものである。
【背景技術】
【０００２】
近年の携帯電話機の高機能化に伴い、携帯電話機を使った電子メール送受信やＷｅｂページの閲覧等を通して、多くのデータを携帯電話機が記憶し、管理を行っている。そして、そのような処理を通して、携帯電話機は大量のデータを扱っている。
【０００３】
たとえば、携帯電話機から無線で基地局（ＢＳ：Ｂａｓｅ  Ｓｔａｔｉｏｎ）に接続し、基地局からパケット制御装置およびＩＰアドレスと携帯電話番号に変換を行うパケット用ゲートウェイ等を経て、インターネット上のＷＷＷ（Ｗｏｒｌｄ  Ｗｉｄｅ  Ｗｅｂ）サーバへのアクセス、電子メール利用等のデータ通信により、大量のデータ（テキストデータ、画像データ、音声データ等）が携帯電話機の中に取り込まれる。
【０００４】
また、上述した無線通信を行わない場合でも、ユーザから携帯電話機へのテキスト入力や携帯電話機に付属するカメラ撮影等のアプリケーション機能の実行により様々な種類のデータが携帯電話機の中に取り込まれる。
【０００５】
このように、日々携帯電話機の中に取り込まれる大量のデータの中から、ユーザが必要な情報だけを抽出し、その抽出した必要な情報をユーザが忘れないようにする機能は、多機能化され大量の情報を扱う近年の携帯電話機にとって、非常に重要になっている。
【０００６】
このような機能を有する携帯電話機については種々の提案がなされている（たとえば特許文献１参照）。
【先行技術文献】
【特許文献】
【０００７】
【特許文献１】特開２００１−１０１０９８号公報
【発明の概要】
【発明が解決しようとする課題】
【０００８】
ところで、従来の携帯電話機において、ユーザに情報を忘れさせないようにテキストが記載されたメモを標準画面（携帯電話機の電源を立ち上げたときの非通話時画面、いわゆる待受画面）に貼り付けることは可能であったが、携帯電話機の標準画面上のメモの存在によって視認性が損なわれるという問題があった。
【０００９】
上記課題に鑑みて、本発明の目的は、標準表示画面上にユーザの視認性と操作性を確保した上でテキストに対応する、あるいは機能の実行対象となるアイコンを貼り付けることを可能とする無線通信装置、表示制御方法および表示制御プログラムを提供することにある。
【課題を解決するための手段】
【００１０】
上記目的を達成するため、本発明の第１の観点によれば、無線通信手段と、操作手段と、ユーザ所望の画像を標準画面として表示する表示手段と、それぞれテキストあるいは機能に対応付けられた複数のアイコンを、電波状態、電池状態を示す画像には重ねずに、当該標準画面に重畳して表示させ、前記標準画面上に前記複数のアイコンが表示される状態で、前記操作手段によりいずれかのアイコンを選択決定する操作がなされた場合には、選択されたアイコンに対応するテキストの表示あるいは対応する機能に基づく画面の表示を行うよう前記表示手段を制御する制御手段と、を備え、前記制御手段は、前記標準画面上にいずれのアイコンも表示されない状態にて、前記操作手段により所定の操作が行なわれると、前記標準画面は同じ画像の表示を維持したまま前記複数のアイコンのいずれかを表示する状態に切替えることを特徴とする。
【００１１】
好適には、前記表示手段は、
前記標準画面上に前記複数のアイコンのいずれかを表示する際、当該アイコンに対応付けられたテキストを当該アイコンとともに表示することを特徴とする。
【００１２】
また、好適には、前記表示手段は、
前記テキストを対応するアイコンとともに表示する際、当該テキストのうちの所定文字数を表示し、当該アイコンが選択決定された場合には、前記テキストを表示する画面に遷移されることを特徴とする。
【００１３】
さらに好適には、前記アイコンにはアドレス情報が対応付けられており、
前記制御手段は、
前記アドレス情報が対応付けられたアイコンが選択され、発信操作が行われると当該アドレス情報に基づいて前記通信手段に発信を行わせることを特徴とする。
【００１４】
また、好適には、前記制御手段は、
前記標準画面に重畳して前記複数のアイコンを表示し、なおかついずれかのアイコンが選択されている状態で、上下左右いずれかの方向を指示する操作が行なわれると、前記標準画面は同じ画像の表示を維持したまま、選択されているアイコンの隣のアイコンを選択した状態とすることを特徴とする。
【００１５】
さらに好適には、前記制御手段は、前記標準画面上にいずれのアイコンも表示されない状態となったのち、所定時間が経過すると、前記標準画面は同じ画像の表示を維持したまま前記複数のアイコンのいずれかを表示する状態に切替えることを特徴とする。
【００１６】
また、好適には、前記制御手段は、
前記制御手段は、前記標準画面上にいずれのアイコンも表示されない状態にて、前記所定の操作として、上下左右いずれかの方向を指示する操作が行なわれると、前記標準画面は同じ画像の表示を維持したまま前記複数のアイコンのいずれかを表示する状態に切替えることを特徴とする。
【００１７】
また、本発明の第２の観点によれば、無線通信手段と、操作手段と、表示手段とを備える無線通信装置における表示制御方法であって、前記表示手段にユーザ所望の画像を標準画面として表示するステップと、それぞれテキストあるいは機能に対応付けられた複数のアイコンを、電波状態、電池状態を示す画像には重ねずに、当該標準画面に重畳して表示させるステップと、前記標準画面上に前記複数のアイコンが表示される状態で、前記操作手段によりいずれかのアイコンを選択する選択操作がなされた場合には、選択されたアイコンに対応するテキストの表示あるいは対応する機能に基づく画面の表示を行うよう前記表示手段を制御するステップと、前記標準画面上にいずれのアイコンも表示されない状態にて、前記操作手段により所定の操作が行なわれると、前記標準画面は同じ画像の表示を維持したまま前記複数のアイコンのいずれかを表示する状態に切替えるステップと、を備えることを特徴とする。
【００１８】
また、本発明の第３の観点によれば、無線通信手段と、操作手段と、表示手段とを備える無線通信装置の制御手段に対して表示制御を行わせる表示制御プログラムであって、前記表示手段にユーザ所望の画像を標準画面として表示するステップと、それぞれテキストあるいは機能に対応付けられた複数のアイコンを、電波状態、電池状態を示す画像には重ねずに、当該標準画面に重畳して表示するよう前記表示手段を制御させるステップと、前記標準画面上に前記複数のアイコンが表示される状態で、前記操作手段によりいずれかのアイコンを選択する選択操作がなされた場合には、選択されたアイコンに対応するテキストの表示あるいは対応する機能に基づく画面の表示を行うよう前記表示手段を制御させるステップと、前記標準画面上にいずれのアイコンも表示されない状態にて、前記操作手段により所定の操作が行なわれると、前記標準画面は同じ画像の表示を維持したまま前記複数のアイコンのいずれかを表示する状態に切替えるステップと、を備えることを特徴とする。
【発明の効果】
【００１９】
本発明によれば、ユーザの操作性を確保した上でアプリケーションの実行対象となるアイコンを画面上に貼り付けることができるため、極力視認性に影響を及ぼさないようにできる利点がある。
【図面の簡単な説明】
【００２０】
【図１】実施形態に係る携帯電話機の外観の一例を図解した図である。
【図２】実施形態に係る携帯電話機のシステム構成の一例を図解した図である。
【図３】実施形態に係る携帯電話機の貼り付けメモの登録動作の一例を示すフローチャートである。
【図４】実施形態に係る携帯電話機の貼り付けメモの登録における表示部の動作の一例を示す図である。
【図５】実施形態に係る携帯電話機の貼り付けメモの起動における表示部の動作の一例を示す図である。
【図６】実施形態に係る携帯電話機の貼り付けメモの実行態様を例示する図である。
【図７】実施形態に係る携帯電話機の貼り付けメモに表示するテキストの優先順位を示す図である。
【図８】実施形態に係る携帯電話機の貼り付けメモを２つの画面に表示する際の動作を示すフローチャートである。
【図９】実施形態に係る携帯電話機の表示部の動作の状態遷移図である。
【図１０】実施形態に係る携帯電話機の表示部に対する貼り付けメモの表示／非表示の動作を説明するための図である。
【発明を実施するための形態】
【００２１】
第１の実施形態
以下、本発明の第１の実施形態を添付図面に関連付けて説明する。
【００２２】
図１は、本実施形態に係る携帯電話機本体の外観図であって、（ａ）は閉じられた状態の外観図を、（ｂ）は開けられた状態の外観図をそれぞれ示す。図２は、本実施形態に係る携帯電話機の主要回路の構成例を示すブロック図である。
【００２３】
なお、標準画面とは、前述したとおり、携帯電話機の電源を立ち上げたときの非通話時の画面、いわゆる待受画面を意味する。
【００２４】
また、本発明に係る第１の画面は、本実施形態において、標準画面上に後述するウィンドウを配置させた状態の画面に相当する。
【００２５】
携帯電話機１は、図１および図２に示すように、本体ケース１１、無線通信手段としての通信部１２、音声部１３、表示部１４、入力手段としての操作部１５、記憶手段としてのメモリ１６、制御手段としての制御回路１７、および可動機構部１８を有している。
【００２６】
通信部１２は、送受信アンテナ１２１、および無線回路１２２により構成されている。
【００２７】
送受信アンテナ１２１は、本体ケース１１の表示部１４のある側に内蔵されている。
【００２８】
無線回路１２２は、電波を利用した無線通信で行うために、制御回路１７で処理された音声情報、ＩＤ、Ｗｅｂページデータの閲覧要求情報等を変調してアンテナ１２１により図示しない基地局に送信する。
【００２９】
また、無線回路１２２は、基地局から無線により送信され、アンテナ１２１で受信したページデータや音声情報等の各種情報を復調して制御回路１７に出力する。
【００３０】
音声処理部１３は、音声処理回路１３１を有し、通話機能のために音声入力を行うマイクロフォン１３２と音声出力を行うスピーカ１３３が接続されている。
【００３１】
音声処理回路１３１は、マイクロフォン１３２により入力した音声に対して所定の処理を行って制御回路１７に供給する。
【００３２】
また、音声処理回路１３１は、制御回路１７により供給された音声情報に対して所定の処理を行ってスピーカ１３３から出力させる。
【００３３】
図１に示すように、マイクロフォン１３２は、ケース本体１１の操作部１５の下部に配置され、スピーカ１３３は表示部１４の上部に配置されている。
【００３４】
表示部１４は、図１に示すように、ケース本体１１の上部側に配置された液晶表示装置（ＬＣＤ）等の表示デバイスを有し、通話機能のために入力した電話番号や各種メッセージ、テキストデータ等を含むメモなどを表示する。
【００３５】
また、表示部１４は、たとえば最上段の１行分は、モードの種類、電波の強さ、電池残量等を表示するガイド表示行として用いられる。
【００３６】
表示部１４には、通常モードと節電モードの２種類のモードがある。通常モードは、標準画面を表示するモードであり、節電モードは、標準画面の状態で一定時間操作部１５の操作がなされない場合に、表示部１４のバックライトが消灯されるモードである。
【００３７】
特に、本実施形態における表示部１４は、制御回路１７の制御に基づいて、標準画面上に貼り付けメモと呼ぶ所定の大きさのウィンドウ（データ表示領域）を複数個、第１の画面として標準画面の背景表示に重ねて表示させることが可能である。本実施形態においては、標準画面上に第１の画面だけでなく、第２の画面にもウィンドウを第１の画面同様に貼り付けることが可能である。そして、操作部１５の所定のキーの押下（操作）により、２つの画面を交互に表示させることが可能である。
【００３８】
また、本実施形態においては、ウィンドウは２種類設定しており、記号のみを表示する小さなウィンドウと、記号とテキストデータ若しくはその一部を表示する大きなウィンドウが設定される。
【００３９】
これらのウィンドウは標準画面上に表示部１４に表示されるため、メモの存在をユーザに効果的に認識させることができる。
【００４０】
操作部１５は、図１に示すように、ケース本体１１の下部側に配置され、終了（終話）／電源キー１５ａ、開始（発呼）キー１５ｂ、数字等に対応した複数のテンキー１５ｃ、上下左右キー１５ｄ、センターキー１５ｅ等を有する。
【００４１】
記憶手段としてのメモリ１６は、たとえばＥＥＰＲＯＭを含んで構成され、通話やメールの送受信のための制御プログラム、インターネットブラウザ、メッセージデータ、名前および電話番号が登録されたアドレス帳等が記憶される。
【００４２】
メモリ１６には、さらに各貼り付けメモに対応したデータ（貼り付けメモデータ）が格納される。貼り付けメモデータは、貼り付けメモとして登録されたデータ毎に、そのデータに対するリンクデータの他、ウィンドウ内に表示される表示テキストデータ、記号データ、表示フラグおよびウィンドウ表示位置データがセットとなって構成される。
【００４３】
ここで、表示テキストデータは、メモリ１６内に格納した様々なデータ、またはその一部をユーザが操作部１５を通して選択し、その選択されたデータに含まれるテキストデータの中から所定の優先順位に従って決定したテキストデータである。ただし、表示部１４に表示される各ウィンドウ内に表示されるテキストデータの量には上限を設け、本実施形態ではその上限値が８文字なので、決定されたテキストデータの上位８文字が表示テキストデータとなる。
【００４４】
記号データは、貼り付けメモが表示部１４に表示されるときにユーザにメモの属性を識別が容易となるように設定される識別記号であり、記号データと別に格納される画像データやアイコン（ＩＣＯＮ）等の記号が関連付けられている。
【００４５】
また、表示フラグとは、貼り付けメモの表示部１４への表示モードを示している。
【００４６】
この表示フラグにより、たとえば表示フラグ１のときは、記号のみを表示部１４に表示し、表示フラグが０のときは、記号とテキストデータ（またはその一部）を表示部１４に表示するように、制御回路１７が表示部１４を制御することができる。
【００４７】
さらに、ウィンドウ表示位置データにより、表示部１４のどこにテキストデータ（またはその一部）や記号をウィンドウとして表示させるのかを特定することができる。表示部１４には、標準画面上にウィンドウを例えば縦並びに複数表示させることが可能に構成されており、標準画面の背景表示部（時計表示など）に重複しない位置などを優先して選択するといった用い方ができる。
【００４８】
制御回路１７は、マイクロコンピュータを主体して構成されて携帯電話機１の全体の制御を行う。たとえば、制御回路１７は、通信部１２における各種情報の無線による送受信の制御、音声処理部１３に対する音声情報の処理、表示部１４への情報の表示制御、操作部１５の入力情報に応じた処理、およびメモリ１６への処理に応じたアクセス制御等を行う。
【００４９】
また、メモリ１６に格納された上述した貼り付けメモデータの貼り付けメモデータに基づいて、表示部１４を制御して、貼り付けメモを標準画面上に並列的に表示（貼り付け）する。
【００５０】
可動機構部１８は、本体ケース１１の一部分（表示部１４を含む側）と本体ケース１１のもう一方の部分（操作部１５を含む側）とを水平回転可能に支持する。これにより、たとえば図１（ａ）のように閉じられた状態から本体ケース１１の表示部側を一方向に水平回転させることにより、図１（ｂ）のとおり開けられた状態とすることが可能となる。
【００５１】
次に、図３および図４に関連付けて、本実施形態における携帯電話機１の動作について説明する。図３は、携帯電話機１が有する貼り付けメモの登録処理のフローチャートであり、図４は、携帯電話機１の貼り付けメモ登録処理における表示部１４の表示内容を示す図である。
【００５２】
図３において、まずユーザによりメモリ１６内のデータの選択が行われる（ＳＴ１０）。選択されるデータは、たとえば電子メールのテキストデータ（またはその一部）やカメラ撮影機能（図１には図示しない）による画像データ、スケジュールデータなど、アプリケーションの実行により生じたデータであれば何でも構わない。
【００５３】
このような様々なデータを、ユーザは操作部１５を通して選択し、選択されたデータが図示しないバッファに取り込まれる。さらに、貼り付けメモデータが、メモリ１６上に作成され、選択されたデータに含まれるテキストデータ「今日は温泉に…行きたいな。」の先頭８文字（「今日は温泉に出か」）が貼り付けメモデータの表示テキストデータとして設定される（ＳＴ１１）。
【００５４】
図４に示す例では、画面ＳＣ１０で選択された絵日記データ（画像データおよび／またはテキストデータ）を貼り付けメモデータとして登録されるときの表示部１４の画面の変
化を示している。
【００５５】
データが貼り付けメモの登録のために選択されると、アイコン選択画面が表示されるので（ＳＴ１２および画面ＳＣ１２）、ユーザが所望のアイコン（記号）を選択すると（ＳＴ１３）、対応するアイコンを特定する記号データが、貼り付けメモデータの記号データとして設定される（ＳＴ１４）。
【００５６】
次に、ウィンドウ選択画面が表示される（ＳＴ１５および画面ＳＣ１３）。
【００５７】
ウィンドウ選択は２種類からなり、記号（アイコン）のみを表示する小さなウィンドウと、記号（アイコン）とテキストデータ若しくはその一部を表示する大きなウィンドウから選択できる。
【００５８】
ユーザがウィンドウを選択し、画面ＳＣ１４ａに示すように、ウィンドウ表示領域を縦並びにいずれかの位置を指定した後、所定キーを押下（操作）すると（ＳＴ１６）、選択したウィンドウに応じた表示フラグおよびウィンドウ表示位置データが、貼り付けメモデータとして設定される（ＳＴ１７）。
【００５９】
以後、選択されたウィンドウ表示に従って、貼り付けメモが貼り付けられた標準画面を表示部１４は表示する（ＳＴ１８）。
【００６０】
図４においては、画面ＳＣ１４ａ〜ＳＣ１６ａが大きなウィンドウ表示を選択した場合の表示部１４の動作を、画面ＳＣ１４ｂ〜ＳＣ１６ｂが小さなウィンドウ表示を選択した場合の表示部１４の動作を、それぞれ示す。
【００６１】
図４から明らかなように、大きなウィンドウ表示には、テキストデータの一部が視認できるので、メモの内容が容易に想起できるという利点があり、また、小さなウィンドウ表示には、メモの存在を標準画面上に確保しつつ、背景画面の視認性が大きなウィンドウと比較して向上するので、たとえば背景画面にユーザが気に入っている画像等を貼り付けている場合には、その画像を極力隠さないようにメモを表示させることができるという利点がある。
【００６２】
以上のようにして、順次貼り付けメモの登録を行うことにより、制御回路１７は、複数のウィンドウを順次並列的に表示部１４に配置させる（画面ＳＣ１６ａおよびＳＣ１６ｂ）。
【００６３】
次に、図５は、このようにして登録された貼り付けメモを起動する際の動作について例示した図である。
【００６４】
図５において、標準画面（待受画面）の状態（画面ＳＣ２０）から、操作部１５の上下左右キー１５ｄ等の所定のキーを操作すると、貼り付けメモが登録されている場合は貼り付けメモの一覧が表示され（画面ＳＣ２１ａ）、貼り付けメモが登録されていない場合は貼り付けメモの登録がされていない旨が表示される（画面ＳＣ２１ｂ）。
【００６５】
本実施形態に係る携帯電話機１においては、閉じられた状態（図１（ａ））と開かれた状態（図１（ｂ））のいずれの状態においても、貼り付けメモの起動が可能となる。閉じられた状態（図１（ａ））においては、操作部１５が図示されていないが、携帯電話機１の側面部に操作キーを設定することが可能である。
【００６６】
また、図５の画面ＳＣ２１ａには、１つの貼り付けメモしか登録されていないが、複数の貼り付けメモが登録されている場合には、ユーザは上下左右キー１５ｄを操作する等により、複数の貼り付けメモのウィンドウの中から１のウィンドウを選択できる。
【００６７】
そして、このように貼り付けメモのウィンドウを選択し、所定のキーを押下（操作）することによりサブメニューを呼び出し、貼り付け位置を変更することができる。すなわち、ユーザの貼り付けメモのウィンドウ位置変更指令に基づいて、制御回路１７は、貼り付けメモデータの中のウィンドウ表示位置データを更新し、表示部１４に新しい貼り付け位
置により表示させる。
【００６８】
また、一度登録した貼り付けメモを所定のキーを押下（操作）することで、サブメニューを呼び出し、貼り付けメモの登録削除（メモリ１６から消去）を行うことも可能である。
【００６９】
以上のように、標準画面上に貼り付けメモが設定されると、標準画面上の貼り付けメモを選択して所定キーを押下（操作）することにより、その貼り付けメモデータのリンクデータに基づいて、制御回路１７は、対応するアプリケーションを実行して、その実行結果を表示部１４に表示させる。
【００７０】
図６は、複数の貼り付けメモが標準画面上に貼り付けられた状態で、ユーザが各貼り付けメモを選択した場合に、各貼り付けメモの内容に応じたアプリケーションが実行される例を示す。
【００７１】
図６においては、標準画面上の複数の貼り付けメモの中から、たとえば「湯けむり」というテキストが書かれた貼り付けメモをユーザが選択して、センタキー１５ｅ等の所定のキーを押下すると、制御回路１７は、対応する貼り付けメモデータのリンクデータに基づいて、メモリ１６内に格納された絵日記データを、所定のアプリケーションにより実行する。これにより、画面上に「湯けむり」の画像とテキストデータが表示される。
【００７２】
以上説明したように、本実施形態に係る携帯電話機１によれば、標準画面を表示する表示部１４と、複数のキーを含む操作部１５と、任意にユーザがメモリから抽出したデータに対応した貼り付けメモを一定の表示領域を有するウィンドウにして並列的に表示させることができ、抽出したデータに対応するテキストデータの少なくとも一部をそのウィンドウ上に表示するように表示部１４を制御する制御回路１７を設け、ユーザが操作部１５の所定キーの操作により１つの貼り付けメモが選択されると、その貼り付けメモデータのリンクデータに基づいて、対応するデータをアプリケーションにより実行して表示部１４に表示するように構成した。
【００７３】
さらに、ウィンドウのサイズを大小の２種類を設定され、ユーザ入力により格納された貼り付けメモのテーブルデータの表示フラグに基づいて、制御回路１７は表示部１４を制御するように構成した。
【００７４】
したがって、
（１）ユーザは操作部１５のキー操作によりデータを検索する必要がなく、常にメモ内容が標準画面上に表示されているので、抽出したデータを容易に想起することができる。
（２）大きなウィンドウ表示では、テキストデータの一部の視認により、メモの内容が容易に想起できるという利点があり、また、小さなウィンドウ表示では、メモの存在を標準画面上に確保しつつ、背景画面の視認性が大きなウィンドウと比較して向上するので、たとえば背景画面にユーザが気に入っている画像等を貼り付けている場合には、その画像を極力隠さないようにメモを表示させることができるという利点があり、ユーザは、嗜好に応じてウィンドウのサイズを選択することができる。また、ユーザは、プライバシーの観点から小さなウィンドウを選択することができる。
【００７５】
しかも、アプリケーションデータ毎にその内容を考慮したアイコンを対応付けておけば、ユーザは小さなウィンドウ表示であってもアイコンを見るだけで、そのデータの内容を連想できる。
（３）標準画面上の貼り付けメモを選択することにより、ワンアクションで対応するデータの内容を実行させることが可能となる。
【００７６】
また、上述した内容に拘泥せず、本発明の要旨を変更しない範囲で様々な変更が可能である。たとえば、ウィンドウに表示可能なテキストは最大８文字としたが、表示する文字サイズまたは表示部１４の大きさに応じて可変とすることができる。
【００７７】
第２の実施形態
以下に、第２の実施形態について説明する。
【００７８】
上述した図４の例では、画面ＳＣ１０で作成されたデータに基づいて、その作成されたデータに含まれるテキストデータの一部（「今日は温泉に出か」）を貼り付けメモデータの表示テキストデータとして設定したが、本実施形態においては、貼り付けメモのウィンドウに表示する表示テキストデータについては、登録したデータに含まれる複数のテキストデータの中から所定の優先順位に基づいて、制御回路１７が選択するように構成することができる。
【００７９】
図７は、そのような優先順位の一例を示す図である。
【００８０】
図７において、（ａ）は貼り付けメモに登録可能な項目（データ）を、（ｂ）はその登録可能な項目に対応する表示テキストの優先順位を、それぞれ示す。
【００８１】
たとえば、アドレス帳の電話番号の場合では、電話番号そのもののテキストデータよりも、発呼先の登録された名前を示すテキストデータの方を優先してウィンドウに表示することを示す。図４を用いて説明した絵日記データの場合は、優先順位がなく、絵日記データに含まれるコメントを表示させるので、そのコメントの先頭８文字（図４の例では、「今日は温泉に出か」）が表示される。
【００８２】
図７に示す優先順位に限らず、ウィンドウに表示された場合にユーザがそのテキストデータの内容からデータの内容をどれだけ想起できるかという観点で、自由に設定することができる。
【００８３】
そして、設定された優先順位に基づいて、制御回路１７は、貼り付けメモとしてユーザに選択されたデータのテキストデータまたはその一部を、貼り付けメモデータの中の表示テキストデータとして登録する。
【００８４】
以上説明したように、本実施形態に係る携帯電話機１によれば、登録対象のデータ毎に貼り付けメモのウィンドウ内に表示させる表示テキストデータを、登録対象データに含まれる複数のデータの中から所定の優先順位に従って選択可能としたので、ユーザに対してデータの内容をより想起させやすいテキストを表示させることができ、ユーザの操作快適性が向上する。
【００８５】
第３の実施形態
以下に、本実施形態における携帯電話機１について説明する。
【００８６】
第１および第２の実施形態においては、標準画面に重ねて表示する貼り付けメモを第１の画面に限定して説明したが、本実施形態においては、標準画面上に第１の画面と異なる別の画面（第２の画面）に貼り付けメモを表示させることを可能とする。
【００８７】
本実施形態においては、貼り付けメモデータとして、表示画面データが追加される。表示画面データは、たとえば、０：第１の画面に表示，１：第２の画面に表示、とした２値のフラグデータで表現可能である。
【００８８】
なお、本発明に係る第２の画面は、本実施形態における第２の画面に相当し、上述したとおり、標準画面上の第１の画面と異なる貼り付けメモのウィンドウを配置した画面である。
【００８９】
表示画面をいずれの画面に設定するかについては、第１の実施形態において図３を用いて説明した貼り付けメモの登録動作において、たとえば、ステップＳＴ１３のアイコン選択の次に追加のステップを設定し、表示する画面をユーザに選択させるように構成すればよい。そして、ユーザの選択に基づいて、制御回路１７は、たとえば、第１の画面が選択された場合には「０」を、第２の画面が選択された場合には「１」を、上述した表示画面データとしてセットする。
【００９０】
図８は、本実施形態の携帯電話機１の動作を説明するためのフローチャートである。
【００９１】
上述したように、貼り付けメモの登録動作において表示画面データがセットされた後に、貼り付けメモを起動したときの動作について、図８の各ステップに沿って説明する。
【００９２】
図８において、標準画面（待受画面）の状態から、操作部１５の上下左右キー１５ｄ等の所定のキーを操作すると（ＳＴ２０）、貼り付けメモの登録があるか否かがチェックされ（ＳＴ２１）、貼り付けメモが登録されていない場合は、貼り付けメモの登録がされていない旨が表示される（ＳＴ２２）。
【００９３】
貼り付けメモが登録されている場合には、第１の画面に登録されているか、すなわち、表示画面データが「０」にセットされているかについてチェックされ、「０」にセットされている場合には、標準画面上に第１の画面（１画面目）を表示させ（ＳＴ２４）、「１」にセットされている場合には、標準画面上に第２の画面（２画面目）を表示させる（ＳＴ２５）。
【００９４】
基本的には、制御回路１７は、起動時に、表示画面データをチェックして標準画面上に第１の画面を優先的に表示部１４に表示させるが、所定のキーがユーザにより押下（操作）されると、再度表示画面データをチェックして標準画面上に第２の画面を表示させるように構成される。
【００９５】
したがって、ステップＳＴ２３の動作がすべての登録された貼り付けメモについて行われる結果、標準画面上の第１の画面においては、表示画面データが「０」にセットされている貼り付けメモデータがすべて表示され、ユーザが所定のキーによる操作を行って第２の画面を望む場合は、表示画面データが「１」にセットされている貼り付けメモデータがすべて表示されるので、たとえば第三者に見られたくない貼り付けメモを選択的に第２の画面に表示させることができ、ユーザの利便性が向上する。
【００９６】
また、上述した内容に拘泥せず、本実施形態の様々な変更が可能である。
【００９７】
たとえば、第１の実施形態において図３および図４を用いて説明した貼り付けメモの登録処理において、ステップＳＴ１３（図４の画面ＳＣ１３）でユーザがアイコンのみを選択した場合は、表示画面データを「０」とし、また、ユーザがアイコンおよびテキストデータを選択した場合には、表示画面データを「１」とするように制御回路１７を構成すれば、標準画面では常にアイコン（記号）のみの表示となり、テキストの内容を見られたくないユーザのプライバシーが確保される。
【００９８】
また、逆に、ステップＳＴ１３（図４の画面ＳＣ１３）でユーザがアイコンのみを選択した場合は、表示画面データを「１」とし、また、ユーザがアイコンおよびテキストデータを選択した場合には、表示画面データを「０」とするように制御回路１７を構成すれば、標準画面では常にテキストデータを含んだ表示となり、ユーザがデータの内容を容易に想起することが可能となる。
【００９９】
また、本実施形態では、貼り付けメモのウィンドウを設定するための追加の画面として１画面のみを設定したが、さらに追加の画面を設定することも可能である。その場合は、表示画面データはフラグデータではなく２ビット以上のデータとして、０：標準画面に表示、１：第２の画面に表示、２：第３の画面に表示、…というように登録時に表示画面データを設定していけばよい。
【０１００】
第４の実施形態
以下に、第４の実施形態について説明する。
【０１０１】
本実施形態においては、貼り付けメモの標準画面上（または第２の画面上）の表示／非表示を所定のキーの操作により、切り替えることを可能とする。
【０１０２】
図９は、貼り付けメモの標準画面上での表示／非表示についての状態遷移図である。
【０１０３】
図９において、状態１は、通常モードであって、貼り付けメモを表示する表示部１４の状態である。通常モードは、節電モードと異なり、バックライトが動作しているモードである。状態２は、通常モードであって、貼り付けメモを表示しない表示部１４の状態である。また、状態３は、節電モードであって、貼り付けメモを表示する表示部１４の状態である。
【０１０４】
貼り付けメモは、ユーザにメモの存在を認識させることに重要な機能価値があるため、極力標準画面に貼り付けて、容易に視認可能な状態に設定しておくことが望ましい。
【０１０５】
しかし、複数の貼り付けメモがすでに登録され、標準画面上に複数のウィンドウが表示されている場合であっても、標準画面上に表示されている内容を確認したい場合がある。たとえば標準画面上に日時が表示されており、その一部が貼り付けメモのウィンドウにより隠れているときに、ユーザがその隠れている一部を確認したい場合や、ユーザがお気に入りの画像を標準画面に貼り付けているときにその画像を見たい場合等である。
【０１０６】
そこで、所定のキーを押下する等により、貼り付けメモのウィンドウの表示／非表示を切り替えることができれば、上述したユーザの希望に対処することが可能である。
【０１０７】
図９においては、例えば「終話キー」１５ａをユーザが押下することにより、貼り付けメモのウィンドウの表示／非表示を切り替えるように、制御回路１７が表示部１４を制御している。すなわち、状態１と状態２を順次切り替える制御を行っている。
【０１０８】
また、図９においては、状態１から状態２へ移行した後、所定時間、たとえば３０秒間経過した場合は状態１に表示が戻るように、制御回路１７は表示部１４を制御している。すなわち、上述したように、貼り付けメモは、ユーザにメモの存在を認識させることに重要な機能価値があり、極力標準画面に貼り付けた状態にしておくことが望ましいため、ユーザが戻し忘れることがないように、所定時間後は再度貼り付けメモを表示させるようにしている。
【０１０９】
また、所定時間の後、通常モードから節電モードに自動的に移行することに伴い、状態１から状態３へ移行する。状態１と状態３の間においても、上述した観点から、貼り付けメモは表示されたままである。
【０１１０】
図１０は、図９の状態遷移図を用いて説明した制御回路１７による表示部１４の制御を、具体的な表示画面により例示した図である。
【０１１１】
図１０において、背景画面のうち貼り付けメモのウィンドウにより隠れた日付部分（画面ＳＣ４０）を、ユーザが確認したい場合に、「終話キー」１５ａを押下することにより、貼り付けメモのウィンドウが非表示となり、日付が確認できる（画面ＳＣ４１）。
【０１１２】
以上説明したように、制御回路１７において、貼り付けメモのウィンドウの表示部１４への表示／非表示選択機能を付加したので、ユーザの要望に応じて、貼り付けメモのウィンドウを非表示として、標準画面を確認することができ、さらにユーザの利便性が向上する。
【０１１３】
さらに、貼り付けメモのウィンドウを非表示とした場合であっても、所定時間経過後に自動的に表示させるため、ユーザの貼り付けメモ表示画面への戻し忘れを防止することができる。
【符号の説明】
【０１１４】
１…携帯電話機
１１…本体ケース
１２…通信部
１２１…送受信アンテナ
１２２…無線回路
１３…音声処理部
１３１…音声処理回路
１３２…マイクロフォン
１３３…スピーカ
１４…表示部
１５…操作部
１６…メモリ
１７…制御回路
１８…可動機構部
【図１】
0005620605.tif 000002
【図２】
0005620605.tif 000003
【図３】
0005620605.tif 000004
【図４】
0005620605.tif 000005
【図５】
0005620605.tif 000006
【図６】
0005620605.tif 000007
【図７】
0005620605.tif 000008
【図８】
0005620605.tif 000009
【図９】
0005620605.tif 000010
【図１０】
0005620605.tif 000011